(57)【要約】【課題】  簡単な構造でありながら、湾曲状の爪をうまく磨くことのできる爪磨き具を提供すること。【解決手段】内に凹の湾曲面形状の研磨部と、その反対側に把持部を設けた爪磨き具であって、前記研磨部の少なくとも表面側は弾力性を有する材質で形成されており、爪磨き操作において、前記研磨部の湾曲面形状が可変であることを特徴とする爪磨き具。【選択図】  図１
2008228856.tif 000002
【特許請求の範囲】
【請求項１】
本体に、内に凹の湾曲面形状の研磨面と、前記研磨面の反対側に把持部を設けた爪磨き具であって、前記本体の少なくとも研磨面側は弾力性を有する材質で形成されており、爪磨き操作において、前記研磨面の湾曲面形状が可変であることを特徴とする爪磨き具。
【請求項２】
前記本体および把持部が、一体成型されたものである請求項１記載の爪磨き具。
【請求項３】
前記本体と前記把持部が、その接続部で可動状態となっている請求項１または２記載の爪磨き具。
【請求項４】
前記把持部および前記本体の研磨面の反対側の一部分が実質的に弾力性を有さない材料で形成され、前記本体の研磨面側を形成する弾力性材料と接合していることを特徴とする請求項１記載の爪磨き具。
【請求項５】
実質的に弾力性を有さない材料で形成された前記本体の研磨面の反対側の一部分に、前記把持部が、それらの接続部で回動可能に取り付けられている請求項４記載の爪磨き部。
【請求項６】
把持部の根元側の方が、把持部の先端側の方より細くなっている請求項１ないし５のいずれかの項記載の爪磨き具。
【請求項７】
把持部の根元側の方が、把持部の先端側の方より薄くなっている請求項１ないし５のいずれかの項記載の爪磨き具。
【発明の詳細な説明】
【技術分野】
【０００１】
本発明は、指の爪を簡単に磨くことができる爪磨き具に関するものであり、特に、把持部が持ちやすく磨く動作が小さいため、特別の施術技術を要さず、さらに、それ自体も小さいため、携帯性、使用性に優れる爪磨き具に関するものである。
【背景技術】
【０００２】
従来、爪磨き具は板状で、その上に研磨材を施したものや、金属製やすりの片端部に把手のついたものが一般的であった。しかしながら、板状のものは湾曲状の爪を磨くのに適した持ち方や施術に技術が必要であり、特に爪の湾曲面をうまく磨くことができないという問題があった。
【０００３】
そこで、爪の形状に合わせて磨きやすくした爪磨き具が種々提案されている。例えば、爪を磨くのに適した形状の研磨面を複数備え、ここに研磨材片を装着しうる爪磨き具（特許文献１）や、複数のハンドル、これらを結合する回動手段および研磨ストリップで構成され、磨き面が変形する美爪装置（特許文献２）、あるいは片手で把持できる大きさで、両側面を凹ませて形成する把持部と、把持部の反対側に設けたやすり部を有する爪用やすり（特許文献３）などが提案されている。
【０００４】
このうち、特許文献１に記載の爪磨き具は、爪の形に合うように湾曲した複数の磨き面を有するものではあるが、爪の形が人によって異なるため、複数の磨き面があってもこれらの中に適切な形状の磨き面があるとは限らないものである。また、特許文献２のものは、磨き面が爪の形に合わせて変形させる装置ではあるが、機構自体が複雑となり、小型化が難しく、持ち方も限られるため、使用しにくいという問題があった。更に、持ち方が簡単な片手で把持できる特許文献３のものは、爪先だけを磨くものであり、爪の形状に合わせて手を動かさなくてはならず、従来のものと同様、削り方に技術が必要であるという問題があった。
【特許文献１】特開２００５−２７０３５０号公報
【特許文献２】特表２０００−５０１９５９号公報
【特許文献３】特開２００１−２３８７２３号公報
【発明の開示】
【発明が解決しようとする課題】
【０００５】
従って本発明は、簡単な構造でありながら、湾曲状の爪をうまく磨くことのできる爪磨き具を提供することをその課題とするものである。
【課題を解決するための手段】
【０００６】
本発明者らは、上記実情に鑑み、鋭意研究を行った結果、最初から内に凹の研磨面を適度の弾性を有する部材で形成し、かつ把持部を研磨面の反対側に設けることにより、爪の湾曲形状に応じて爪を磨くことが可能となることを見出し、本発明を完成した。
【０００７】
すなわち本発明は、本体に、内に凹の湾曲面形状の研磨面と、前記研磨面の反対側に把持部を設けた爪磨き具であって、前記本体の少なくとも研磨面側は弾力性を有する材質で形成されており、爪磨き操作において、前記研磨面の湾曲面形状が可変であることを特徴とする爪磨き具である。
【０００８】
また本発明は、前記本体および把持部が、一体成型されたものである上記の爪磨き具である。
【０００９】
更に本発明は、前記把持部および前記本体の研磨面の反対側の一部分が実質的に弾力性を有さない材料で形成され、前記本体の研磨面側を形成する弾力性材料と接合していることを特徴とする前記の爪磨き具である。
【発明の効果】
【００１０】
本発明の爪磨き具は、爪の形状に合せて研磨部の湾曲面形状が変化するものであるため、特別な施術方法を利用することなく、また手の動き方を制限することなく、小さな動きで簡単に爪がきれいに磨けるものである。さらに、それ自体の大きさが小さく、簡単な構造であるため、携帯性、使用性も良好である。
【発明を実施するための最良の形態】
【００１１】
以下に、本発明のいくつかの実施態様を示す図面と共に、本発明を更に説明する。
【００１２】
図１は、本発明の一態様である爪磨き具の正面図、図２は右側面図、図３は平面図、図４は底面図で３ある。図中、１は爪磨き具、２は研磨面、３は把持部、４は本体を示す。
【００１３】
本態様の爪磨き具１は、把持部３と本体４が一体成型されている。この爪磨き具１を形成する材料としては、研磨面２を爪にあてた時に、爪の形に応じて変形する弾力性を有するもの（以下、「弾性材料」という）であれば、特に制限されない。例えば、天然ゴムや、スチレン系、オレフィン系、ウレタン系の合成ゴムが利用できるが、より好ましいのは、イソプレンゴム、シリコーンゴム、ニトリルゴム、ウレタンゴムといった柔軟性や弾力性を有する合成ゴムである。
【００１４】
一方、爪を研磨するための研磨面２は、内に凹の湾曲面形状（アーチ型、円弧状）となっている。この湾曲面は、必ずしも爪の凸面と一致する必要はないが、なるべくこれに近い形状であることが望ましい。この研磨面は、爪を研磨できる研磨材を用いて形成され、その形成方法には特に制約はない。例えば、全体を一体成型した後に、前記本体４に研磨材を塗布しても良いし、研磨材が塗布されたシートを貼付しても良い。更に、一体成型に先立ち、金型の研磨面２に対応する部分に研磨材を塗布し、成型後に研磨面２に付着、埋め込まれるようにしてもよい。
【００１５】
また、この研磨材自体の粗さは、特に制限されないが、より好ましくは、目の細かい研磨材もしくは仕上げ用ツヤだし研磨材である。これらであると、往復で爪を磨いても削りすぎて、爪を傷つけることが少ない。
【００１６】
更に、把持部３は、爪磨き具を、図５で示すように指でつまんでもったり、はさんで持ったりするために使用される部分である。この把持部３の形状は特に制限されず、上記実施態様のように先端側３ａが若干幅の広い四角柱を横にした形状であっても、あるいは、円柱を横にした形状、俵状、ダイヤモンド状、水滴状、棒状、球状、円錐状、方錐状等のいずれの形状でも構わない。これらの形状の例のいくつかを、図６にまとめて示す。
【００１７】
しかしながら、持ちやすさや、把持部３と本体４の間の可動性が高まることから、把持部３の根元側３ａの方が先端部側３ｂの方より細く、あるいは薄くなっていることが好ましく、具体的には、図６において、Ａ、ＣおよびＦで示すような、角柱や円柱を横にした形状や、逆円錐状、あるいはＥのような逆方錐状等の逆錐形であることが好ましい。更に、指で把持部３を挟んで使用する場合は、把持部の根元側が指と指のすき間の形に合わせて内に凹んでいることが好ましい。
【００１８】
図７ないし図９は、それぞれ本発明の別の態様の爪磨き具を示す正面図、右側面図および底面図である。図中、１ないし４は前記の通りであり、５は支持部材を示す。
【００１９】
本実施態様では、把持部３および前記本体４の研磨面の反対側の一部分が支持部材５として実質的に弾力性を有さない材料で形成され、これが本体４の研磨面側の弾性材料と接合している。
【００２０】
この実質的に弾力性を有さない材料とは、爪を押しつけた程度では変形しない強度の材料を意味し、湾曲状の研磨面２の変形を受け止める程度の強度があればよい。具体的な材料としては、金属や、硬質プラスチック樹脂等を例示することができる。
【００２１】
また、上記のように、実質的に弾力性を有さない材料を支持部材５として用いる結果、本体４の研磨面側には、上記したよりも更に柔軟性の高い材料を使用することが可能となる。すなわち、上記のスチレン系、オレフィン系、ウレタン系の合成ゴム等の柔軟性や弾力性を有するものの他、それらを発泡させ、空孔部分を有するスポンジ状のものも利用することが可能となる。
【００２２】
本実施態様では、支持部材５は、外部に露出した状態で本体４の研磨面側を形成する弾性材料と接合されているが、弾性材料で一部または全部が被覆されている状態で接合されていても良い。
【００２３】
なお、本発明の爪磨き具１においては、把持部３と本体４が可動状態であることが使用性の面から好ましいが、実質的に弾力性を有さない材料で把持部３と支持部材５を一体に形成すると、動ける状態とすることができない。そこで、例えば、図１０の形態や、図１１および図１２の形態に示すように、把持部３と支持部材５をそれぞれ別個の部材として作成し、この間を可動状態で接続することが好ましい。図１０の態様は、支持部材５の末端にカップ状の受け部分６を設け、この部分に、球形に形成した把持部３の球形端部７を押し込み、回動自在としたものである。また、図１１および図１２の形態は、把持部３の根元側先端の円筒部８で、支持部材５の把持部側端部に取り付けられた丸棒９を回動可能に結合させたものである。把持部３と支持部材５を回動可能とし、爪を磨く機構は、これに限られず、種々の公知手法を使用することができる。このように把持部３と本体４が可動状態であると、特に把持部３を指でつまんで持つ場合施術し易くて好ましい。
【００２４】
本発明の爪磨き具は、爪の凸面に対応した、内に凹の湾曲面を有する研磨面２を、少なくともその一部が弾性部材で形成された本体４で支えるものであるため、爪をこの研磨面に当て、押し込んだときに爪全体が包み込まれるような状態となる。そして、その状態で爪磨き具を動かすことにより、爪全体が均一に磨けるのである。
【００２５】
更に、把持部３と本体４（あるいはこれと接合された支持部材５）の間を可動とすることにより、より簡単に爪を磨くことが可能となるのである。
【産業上の利用可能性】
【００２６】
本発明の爪磨き具は、特段の施術方法や工夫を要することなく、一つの面で爪全体（爪表面から爪先まで）を磨けるものである。さらに、磨き具自体も小さいため、携帯性・使用性も良好なものである。
【００２７】
従って、簡単に誰でも使用できる爪磨き具として、美容業界のみならず、広く一般に利用しうるものである。
【図面の簡単な説明】
【００２８】
【図１】本発明爪磨き具の一態様を示す正面図である。
【図２】本発明爪磨き具の一態様を示す右側面図である。
【図３】本発明爪磨き具の一態様を示す平面図である。
【図４】本発明爪磨き具の一態様を示す底面図である。
【図５】本発明爪磨き具の使用状態を示す図面である。図中、Ａはつまんで使用する状態を、Ｂは挟んで使用する状態を示す。
【図６】把持部の形状例を示す斜視図である。
【図７】本発明爪磨き具の別の態様を示す正面図である。
【図８】本発明爪磨き具の別の態様を示す右側面図である。
【図９】本発明爪磨き具の別の態様を示す底面図である。
【図１０】把持部と支持部材間の可動機構を示す断面図である。
【図１１】把持部と支持部材間の可動機構を示す斜視図である。
【図１２】図１１の可動機構の断面図である。
【符号の説明】
【００２９】
１……爪磨き具
２……研磨面
３……把持部
４……本体
５……支持部材
６……受け部分
７……球形端部
８……円筒部
９……丸棒
【図１】
2008228856.tif 000003
【図２】
2008228856.tif 000004
【図３】
2008228856.tif 000005
【図４】
2008228856.tif 000006
【図５】
2008228856.tif 000007
【図６】
2008228856.tif 000008
【図７】
2008228856.tif 000009
【図８】
2008228856.tif 000010
【図９】
2008228856.tif 000011
【図１０】
2008228856.tif 000012
【図１１】
2008228856.tif 000013
【図１２】
2008228856.tif 000014